(57)【要約】  フットウェア（１）、特にソックスは、下腿を受容する上端部（５）を有する脚部（４）と、脚部（４）に配置され、足元を受容する上下部を有する足元部分（２）と、爪先を受容するために、足元部分（２）に配置される爪先フラップ（３）とを備える。フットウェア（１）は、電圧源（１１）の接続部（９）を有する少なくとも１つの加熱要素（６）を備え、上記加熱要素（６）は、足元部分（２）の領域の、足元部分（２）の上部に設けられている。【選択図】  図２
2019522734.tif 000002
【特許請求の範囲】
【請求項１】
フットウェア（１）、特にソックスであって、下腿を収容する１つのすね端部（５）を有するすね部（４）と、足元を収容する上部及び底部を有する前記すね部（４）に位置する足元部分（２）と、爪先を収容する前記足元部分（２）に位置する爪先フラップ（３）とを備え、前記フットウェア（１）は、電圧源（１１）の端子（９）を備える少なくとも１つの加熱要素（６）を有し、前記加熱要素（６）は、前記足元部分（２）の区域の前記足元部分（２）の上部に位置することを特徴とする、フットウェア（１）。
【請求項２】
前記加熱要素（６）は、長さが一方向に変化することができる、少なくとも１つの、好ましくは弾性的なキャリア層（７）を有し、少なくとも１つの電気リード部（８）が、少なくとも前記キャリア層（７）上の区域内で波状に位置することが好ましいことを特徴とする、請求項１に記載のフットウェア（１）。
【請求項３】
前記加熱要素（６）の前記電気リード部（８）は、前記キャリア層（７）に接続し、特に、前記キャリア層（７）に取り付けられ、及び／若しくは接着され、並びに／又は、一方の表面に及び／又は前記キャリア層（７）中に編まれ、及び／若しくは縫合されることを特徴とする、請求項２に記載のフットウェア（１）。
【請求項４】
前記加熱要素（６）は、供給リード部（１３）及び加熱区域（１２）からなり、前記供給リード部（１３）の区域内の前記加熱要素（６）の前記電気リード部（８）が、前記加熱区域（１２）の領域よりも低いオーム抵抗を有することが好ましいことを特徴とする、請求項２又は３に記載のフットウェア（１）。
【請求項５】
前記加熱要素（６）が、前記フットウェア（１）の内側又は外側に位置し、特に、縫合又は接着されることを特徴とする、請求項１〜４のうちいずれか一項に記載のフットウェア（１）。
【請求項６】
前記加熱要素（６）、特に前記加熱区域（１２）が、前記爪先フラップ（３）に位置することを特徴とする、請求項４又は５に記載のフットウェア（１）。
【請求項７】
前記フットウェア（１）を閉じるための継ぎ合わせ、特にかがり縫い（１６）が、前記爪先フラップ（３）と前記足元部分（２）の底部との間に位置することを特徴とする、請求項１〜６のうちいずれか一項に記載のフットウェア（１）。
【請求項８】
少なくとも区域内の前記加熱要素（６）の前記キャリア層（７）は、特に前記端子（９）の区域（１４）及び前記供給リード部（１３）から前記加熱区域（１２）へ移行する更なる区域（１５）では、前記キャリア層（７）の長さの変化に対抗する補強材を有することを特徴とする、請求項４〜７のうちいずれか一項に記載のフットウェア（１）。
【請求項９】
前記加熱要素（６）が、前記爪先フラップ（３）から前記足元部分（２）の上部を越えて、そのうえ前記すね部（４）に沿って、特に前記すね端部（５）まで横に沿って位置することを特徴とする、請求項１〜８のうちいずれか一項に記載のフットウェア（１）。
【請求項１０】
前記電圧源（１１）の前記端子（９）が、前記すね端部（５）の前記区域（１４）、特にカフス区域（１０）に位置することを特徴とする、請求項１〜９のうちいずれか一項に記載のフットウェア（１）。
【請求項１１】
前記フットウェア（１）が、少なくとも、特に前記すね部（４）及び／又は前記足元部分（２）の底部の区域に補強を強いられることを特徴とする、請求項１〜１０のうちいずれか一項に記載のフットウェア（１）。
【請求項１２】
フットウェア（１）、特にソックスの製造方法であって、前記加熱要素（６）が、前記足元部分（２）の領域の前記足元部分（２）の上部に位置することを特徴とする、請求項１〜１１のうちいずれか一項に記載の方法。
【請求項１３】
前記すね端部（５）から前記爪先フラップ（３）までの前記フットウェア（１）が、特に筒状に編まれて作製され、その結果、開口部が前記足元部分（２）の底部と前記爪先フラップ（３）との間に残ることを特徴とする、請求項１２に記載の方法。
【請求項１４】
前記加熱要素（６）が、前記フットウェア（１）の内側又は外側に位置し、特に縫合又は接着されることを特徴とする、請求項１２又は１３に記載の方法。
【請求項１５】
前記加熱要素（６）、特に前記加熱区域（１２）が、前記爪先フラップ（３）に位置し、特に縫合又は接着されることを特徴とする、請求項１２〜１４のうちいずれか一項に記載の方法。
【請求項１６】
前記加熱要素（６）が、前記爪先フラップ（３）から前記足元部分（２）の上部を越えて、前記すね部（４）に沿って、特に前記すね端部（５）まで横に沿って位置し、特に縫合又は接着されることを特徴とする、請求項１２〜１５のうちいずれか一項に記載の方法。
【請求項１７】
前記足元部分（２）の底部と前記爪先フラップ（３）との間の前記開口部が、継ぎ合わせによって、特にかがり縫い（１６）によって閉じられることを特徴とする、請求項１３〜１６のうちいずれか一項に記載の方法。
【発明の詳細な説明】
【技術分野】
【０００１】
本発明は、フットウェア、特にソックスに関し、下腿を収容する１つのすね端部を有するすね部と、足元を収容する上部及び底部を有するすね部に位置する足元部分と、爪先を収容する足元部分に位置する爪先フラップとを備え、フットウェアは、電圧源の端子を備える少なくとも１つの加熱要素を有する。
【０００２】
更に、本発明はフットウェアの製造方法に関する。
【背景技術】
【０００３】
一般的なフットウェア、特にソックス又はストッキングは、欧州特許出願公開第２４８１３０９号明細書（特許文献１）及びオーストリア国特許発明第５０５０６７号明細書（特許文献２）より公知である。
【先行技術文献】
【特許文献】
【０００４】
【特許文献１】欧州特許出願公開第２４８１３０９号明細書
【特許文献２】オーストリア国特許発明第５０５０６７号明細書
【発明の概要】
【発明が解決しようとする課題】
【０００５】
一体化した加熱要素を有する既知のソックス又はストッキングでは、使用位置における加熱要素が、足元の下部で動作する。この位置でソックス中に加熱要素の取り付けを可能にするために、ソックスが編み機からもたらされる場合、爪先より上は開いている。ソックスの開かれた状態では、その場合、加熱要素は中に縫合され、爪先より上に位置する開口部は、継ぎ合わせによって閉じられる。このような加熱要素は加熱区域を有し、その中に、電熱線が一般的に螺旋状に配置されている。ここで、このようなソックスを用いる場合、着用者が加熱要素上に立つことは特に不都合である。このように、これは、着用時の快適性を低下させ、圧力及び摩擦により足元の足底又は踵に相当する領域における水疱形成の危険度を増加させる。更に、加熱要素が、例えば、電気リード部を破損することによって損傷を受ける危険度は増加し；これは完全な加熱要素の機能の喪失及び苦情に至る。
【課題を解決するための手段】
【０００６】
本発明の目的は、一体化した加熱要素を有するフットウェア及びこのようなフットウェアの製造方法を利用可能とすることであり、それによって従来技術の欠点が回避される。
【０００７】
本目的は、フットウェアに関する本発明によって達成され、そのフットウェアは、請求項１の特徴を有し、請求項１２の特徴を有するこのようなフットウェアの製造方法を備える。
【０００８】
本発明の好適で有利な実施形態については、従属請求項に記述する。
【０００９】
本発明によれば、フットウェアが電圧源の端子を備える少なくとも１つの加熱要素を有し、加熱要素が足元部分の領域の足元部分の上部に位置することが提供される。このように、着用時の快適性が増すことができ、損傷の危険度及び結果として生じる加熱要素の機能の喪失が低減されることができ、その結果として、予想可能な苦情の数が次々に減少する。
【００１０】
好適な一実施形態では、加熱要素が、弾性的にさせることが好ましく、延伸されるか、又は、その長さを一方向に変化させることが可能な、少なくとも１つのキャリア層を有し、キャリア層上又は中に、少なくとも１つの電気リード部が存在することが提供される。電気リード部は、少なくともキャリア層上又は中の区域に波状に位置することが好ましい。リード部の波状配置によって、本質的にキャリア層と共に非弾性的電気リード部は、このことにより損傷を受けずに、（延伸又は圧縮した）長さの変化を受け入れることができる。
【００１１】
特に、本発明の範囲内で、一実施形態が、加熱要素の電気リード部がキャリア層に接続していることが好ましい。この場合、リード部は、キャリア層に縫われ及び／又は接着されることができる。リード部が、一方の表面及び／又はキャリア層中に、編まれ及び／又は縫われる場合、その結果、フットウェア中に保持された足元が、キャリア層とのみ接触し、縫合した継ぎ目又は接着部位とは接触しないことが特に好ましい。
【００１２】
有利な一実施形態では、加熱要素が供給リード部及び加熱区域からなり、供給リード部の区域における加熱要素の電気リード部が、加熱区域の領域よりも低いオーム抵抗を有することが好ましいことが提供される。このために、電気電圧源が加熱区域の領域で電気リード部に接続するとき、電気リード部は、電熱線としての機能を果たし、印加した電気エネルギーを少なくとも部分的に熱エネルギーに変換する。
【００１３】
特に本発明の範囲内で、一実施形態は、加熱要素がフットウェアの内側に位置し、特に縫合又は接着されることが好ましい。好ましくは、電気リード部がキャリア層とフットウェアとの間に位置し、その結果、リード部は、フットウェアに保持される足元と直接接触しない。加熱要素がフットウェアの外側に位置する実施形態が、同様に考えられる。
【００１４】
少なくとも１つの電熱線を有する加熱要素、特に加熱要素の加熱区域の場合、フットウェアに保持されている足元の爪先が、加熱要素又は加熱区域によって、少なくとも部分的に又はより完全に囲まれるように、爪先フラップに位置することが特に好ましい。本目的のために、加熱要素又は加熱区域は、爪先フラップでより広く又はより狭くなることができ、及び／又は、電気リード部は、例えば、円形に又はジグザグパターン状に、よりしっかりと及び／又は異なって走り、この領域のキャリア層上又は中に位置することができる。
【００１５】
有利な一実施形態では、フットウェアは、爪先フラップと足元部分の底部との間のフットウェアを閉じるために、継ぎ合わせ、特にかがり縫いを有する。例えば、ロッソ縫いなどの他のタイプの継ぎ合わせ、又は、例えば、合着などのフットウェアを閉じるための他の可能性が、同様に考えられる。
【００１６】
好ましくは、少なくとも区域内の加熱要素のキャリア層は、特に端子の区域内に、及び供給リード部から加熱区域への移行の区域内に、キャリア層の長さの起こりうる変化に対抗する補強材を有する。このように、これらの区域に位置する接続部、例えば、ハンダ付け接続又はクランプ接続は、機械的応力、特に延伸又は圧縮から保護されている。補強材は、しばらくの間、例えば、布地接合剤などの、液体の媒体中に、相当する領域にて含浸させたキャリア層によって形成されることが好ましく、その布地接合剤は、その後硬化し、したがって提示された領域のキャリア層を剛性化する。本発明の範囲内で、他の予防措置によって、例えば、特別な継ぎ合わせ又は追加の布地層によって、これらの領域を機械的応力、特に延伸から保護することも考えられる。
【００１７】
好適な一実施形態では、加熱要素は、爪先フラップから足元部分の上部を越えて、そしてすね部に沿って、特にすね部の横に沿って、足元部分から向きがそれている一方のすね端部まで位置する。加熱要素が前部又は後部のすね部に位置する実施形態、及び／又は、加熱要素がすね部の全長以上に伸展しないか、又は、足元部分を越えて、若しくは足元部分に沿ってのみ伸展しない実施形態が、同様に考えられる。
【００１８】
電圧源の端子が、すね端部の領域に、特にカフス区域に位置することを本発明の範囲内で提供することができる。このように、フットウェアは、電圧源をこの領域で、保護するか、覆うか、又は取り付けるために、例えば１つ以上の連結した電池を有する電圧源上のカフス区域と共に巻き上げることができる。
【００１９】
別の実施形態では、フットウェアが、少なくとも区域において、特にすね部及び／又は足元部分の底部において、例えば、区域内に１つ以上の追加の布地層が足元部分に存在することによって、又は、フットウェアが異なって若しくは変更された区域の調整を伴って製造されることによって、補強を強いられる。
【００２０】
本発明によれば、更に、本発明によるフットウェア、特にソックスの製造方法があり、そのソックスに、加熱要素が足元部分の領域内の足元部分の上部に位置する。
【００２１】
すね端部から爪先フラップまでのフットウェアが製造される場合、特に筒状に編まれることが好ましく、その結果、開口部が足元部分の底部と爪先フラップとの間に残る。しかしながら、また、足元部分の上部と爪先フラップ又は爪先フラップの端上との間に残る開口部のために、並びに／又は、爪先フラップからすね端部まで製作されるフットウェアのために、及び／若しくは、筒状に製作されないフットウェアのために、しかし、むしろなんとかして及び／又は丸ごとでなく、しかし、いくつかの個々の部分から編まれることも考えられる。
【００２２】
好ましくは、その後、加熱要素がフットウェアの内側又は外側に、特に足元部分の上部に沿って位置し、特に縫合又は接着され、フットウェアを巻き上げることができる。
【００２３】
別の好適な方法の工程では、加熱要素、特に加熱区域が、爪先フラップに位置し、特に縫合又は接着される。ここで、基本的な場合、爪先フラップの内面全体は加熱要素によってカバーされることが好ましい。しかしながら、区域内の爪先フラップの内面のみをカバーする加熱要素に対して、好ましくは、区域は足元の爪先の上下に位置することが当然同様に考えられる。
【００２４】
好ましくは、加熱要素は、爪先フラップから足元部分の上部を越えて、すね部に沿って、特に横にすね部に沿って、すね端部まで位置し、特に縫合又は接着される。しかしながら、逆順の加熱要素の配置も考えられる。
【００２５】
好ましくは、筒形状でのフットウェアの製作後に残る開口部、特にフットウェアの底部と爪先フラップとの間の開口部は、継ぎ合わせ、特にかがり縫いによって閉じられる。しかしながら、この開口部を閉じるために、他の継ぎ合わせ又は方法が用いられることもできる。
【００２６】
加熱要素は、機械負荷に対して補強材又は他の強化材と共に区域に設けられることができ、及び／又は、 フットウェアは、追加の布地層を利用するによって、又は、他の若しくは変更した製造法を用いることによって、少なくとも区域で補強されることができる。
【００２７】
同様に、好ましくはカフス区域において、フットウェア上又は中に、例えばボタン端子のような、及び／又はクランプ若しくはプラグイン接続のような電気リード部の端子が存在することができる。
【００２８】
本発明の他の詳細、特徴、及び効果は、添付の図面を参照すると以下の説明から明らかになり、本発明の好ましい実施形態が示される。
【図面の簡単な説明】
【００２９】
【図１】側面図における通常のフットウェアを示す。
【図２】側面図における本発明のフットウェアを示す。
【図３】足元部分の領域でのクリアランスに関する斜視図における本発明のフットウェアを示す。
【発明を実施するための形態】
【００３０】
図１は、通常のフットウェア１、特にソックス又はストッキングを示す。フットウェア１は、足元部分２を有し、足元部分２の一端に爪先フラップ３があり、足元部分２の他端にすね端部５を有するすね部４がある。継ぎ合わせ、特にかがり縫い１６は、足元部分２の上部と爪先フラップ３との間の開口部を閉じ、フットウェア１が製作されるときに、その開口部が形成する。通常のフットウェア１が加熱要素６を有する場合、後者は、足元部分２の底部に位置する。フットウェア１が用いられている位置の足元部分２の底部は、足元の底に位置する。
【００３１】
図２及び３は、通常のフットウェア１のような、足元部分２、爪先フラップ３、すね部４、及びカフス区域１０を備えるすね端部５を有する本発明によるフットウェア１を示す。
【００３２】
加熱要素６は、フットウェア１の内部に位置し、電気リード部８が波状に縫合されているキャリア層７を有する。加熱要素６は、すね端部５から、すね部４の横に沿って、足元部分２の上部を越えて、爪先フラップ３まで続き、電気リード部８は、加熱要素６のキャリア層７とフットウェア１との間に位置している。カフス区域１０のすね端部５に関しては、加熱要素６は、電圧源１１の端子９を有し、カフス区域５が折り返されないとき、電圧源１１はフットウェア１のすね端部５上の外側に位置する。
【００３３】
電気リード部８は、加熱要素６の１つの加熱区域１２に、供給リード部１３を形成し、加熱区域１２に少なくとも１つの電熱線がある。その上、加熱要素６は、端子９が位置する区域１４、及び供給リード部１３と加熱区域１２との間の移行部１５を備え、移行部１５に、電気リード部８と電熱線との間の接続部がある。加熱要素６の加熱区域１２は、フットウェア１の中で保持される足元の爪先が、加熱要素６によって囲まれるように、爪先フラップ３の内部に位置する。
【００３４】
端子９の区域１４及び供給リード部１３からの加熱区域１２への移行部１５は、そこに位置する接続部を機械的応力から、例えば、電気リード部８と端子９との間、及び、加熱区域１２の電気リード部８と供給リード部１３の電気リード部８との間の延伸から保護するために、補強を強いられる。
【００３５】
図３は、折り返されたすね端部５を有するフットウェア１を示し、電圧源１１は、外側に折り返されたすね端部５とすね部４の間に位置する端子９に接続している。
【００３６】
通常のフットウェア１と異なった、本発明によるフットウェア１は、足元部分２の上部と爪先フラップ３との間ではなく、足元部分２の底部と爪先フラップ３との間にかがり縫い１６によって閉じられる。
【００３７】
要約すると、本発明の一実施形態は、以下のように記載されることができる：
フットウェア１、特にソックスは、下腿を収容する１つのすね端部５と、足元を収容する上部及び底部を有するすね部４に位置する足元部分２と、爪先を収容する足元部分２に位置する爪先フラップ３とを有するすね部４を備える。フットウェア１は、電圧源１１の端子９を備える少なくとも１つの加熱要素６を有し、加熱要素６は、足元部分２の区域の足元部分２の上部に位置する。
【図１】
2019522734.tif 000003
【図２】
2019522734.tif 000004
【図３】
2019522734.tif 000005
【国際調査報告】
2019522734.tif 000006
2019522734.tif 000007
2019522734.tif 000008
2019522734.tif 000009